(57)【特許請求の範囲】
【請求項１】
ネットワーク上にデータ送信装置および複数のデータ受信装置が接続され、データ伝送要求のあったデータ受信装置に対して、前記データ送信装置から前記ネットワークを介し所定のデータが供給されるデータサーバシステムであって、
前記データ伝送要求のあったデータ受信装置が有する表示装置の仕様を記憶する表示仕様記憶手段と、
要求のあったデータを前記ネットワーク上を伝送する際に必要となるデータ伝送レートを記憶するレート記憶手段と、
前記ネットワークにおいて既に使用されているデータ伝送レートを記憶する使用レート記憶手段と、
新たにデータ伝送要求を行ったデータ受信装置が要求するデータ伝送レートが、前記使用レート記憶手段から判断されるネットワークの空き伝送レートよりも大きい場合は、前記表示仕様記憶手段および前記レート記憶手段により記憶された内容に基づき、データ伝送要求のあった各データ受信装置に対するデータ伝送レートを変更するデータ伝送レート変更手段と
を有することを特徴とするデータサーバシステム。
【請求項２】
前記表示仕様記憶手段、前記レート記憶手段、前記使用レート記憶手段、前記データ伝送レート変更手段のうち少なくとも１つが前記データ送信装置に具備することを特徴とする
請求項１に記載のデータサーバシステム。
【発明の詳細な説明】
【０００１】
【発明の属する技術分野】
本発明は、データサーバシステムに関するものである。
【０００２】
【従来の技術】
近年、家庭内においてもネットワークが普及しつつあり、例えば、ネットワーク上に画像データ送信装置（以下、サーバと記述）と画像データ受信装置（以下、クライアントと記述）を接続し、各クライアントからの画像データ要求に応じた画像データをサーバから提供する画像データサーバシステムが使用されている。
【０００３】
ところで、クライアントが有する表示装置上に、画像データの再生を問題なく（途切れたり、画質の劣化を生じさせることなく）行うためには、時間あたり一定容量以上のデータ伝送を行うことが必要となる。しかし、単位時間あたりのネットワークの伝送可能なデータ容量には限界があるため、例えば、多数のクライアントから一度にデータ伝送要求があった場合は、各クライアントに対して十分なデータを伝送できない状況が生じてしまう。
【０００４】
このような状況下でのデータ伝送手段としては、サーバ側が、データ伝送をすべきクライアントに優先順位をつけ、この優先順位の高いものから単位時間あたりのデータ伝送量（以下、データ伝送レートと記述）を決定していくことが一般的である。この優先順位は、クライアントとして使用される装置によらずに決定されることもあれば、各クライアントが有する表示装置の仕様（表示装置の大きさや表示分解能の値）に応じて決定されることも多い。例えば、表示装置として大画面モニタを有するクライアントに対しては常に高いデータ伝送レートが確保され、表示装置として小型モニタを有するクライアントに対するデータ伝送レートはネットワークの伝送状況に応じて低いデータ伝送レートが割り当てられることになる。空きレート容量が小さい場合は、該クライアントに対しての伝送すべき画像データは縮減（高率圧縮符号化や間引き）された上で伝送される。
【０００５】
【発明が解決しようとする課題】
しかし、上記したような大画面モニタを有するクライアントが常に高いデータ伝送レートを必要とするとは限らない。例えば、該クライアントが要求した画像データが静止画に近い符号量が少ないデータである場合である。このような場合にまで、該クライアントに対して必要以上に高いデータ伝送レートを確保するのはネットワークの伝送効率からも望ましくないことである。
また、伝送すべきデータの中には、例えば画面テストデータのように、データの縮減（高率圧縮符号化や間引き）が許されないものも存在する。このようなデータは、たとえ小型モニタを有するようなクライアントに伝送する場合であっても、データの縮減は行うべきでない。
【０００６】
すなわち、サーバは、クライアントが有する表示装置の仕様だけでなく、該クライアントが要求した画像データの仕様（データ量やデータの種類）まで考慮した上で各クライアントに対するデータ伝送レートを決定する必要があるが、このための技術開示はこれまでなされていなかった。
【０００７】
本発明は、以上の点を鑑みなされたものであり、サーバ側において、クライアントが有する表示装置の仕様と、要求したデータの仕様に応じて、該クライアントに対するデータ伝送の優先順位を決定した上で、実際のデータ伝送レートを決定する、効率的なネットワーク上のデータサーバシステムの提供を行うことを目的とするものである。
【０００８】
【課題を解決するための手段】
上記問題を解決するために、請求項１に記載のデータサーバシステムにあっては、ネットワーク上にデータ送信装置および複数のデータ受信装置が接続され、データ伝送要求のあったデータ受信装置に対して、前記データ送信装置から前記ネットワークを介し所定のデータが供給されるデータサーバシステムであって、前記データ伝送要求のあったデータ受信装置が有する表示装置の仕様を記憶する表示仕様記憶手段と、要求のあったデータを前記ネットワーク上を伝送する際に必要となるデータ伝送レートを記憶するレート記憶手段と、前記ネットワークにおいて既に使用されているデータ伝送レートを記憶する使用レート記憶手段と、新たにデータ伝送要求を行ったデータ受信装置が要求するデータ伝送レートが、前記使用レート記憶手段から判断されるネットワークの空き伝送レートよりも大きい場合は、前記表示仕様記憶手段および前記レート記憶手段により記憶された内容に基づき、データ伝送要求のあった各データ受信装置に対するデータ伝送レートを変更するデータ伝送レート変更手段とを有することを特徴とするものである。
【０００９】
また、請求項２に記載の発明にあっては、請求項１に記載のデータサーバシステムにおいて、前記表示仕様記憶手段、前記レート記憶手段、前記使用レート記憶手段、前記データ伝送レート変更手段のうち少なくとも１つが前記データ送信装置に具備されていることを特徴とするものである。
【００１０】
【本発明の実施の形態】
以下、本発明を家庭内で使用するネットワークシステム（以下「家庭内ネットワーク」と記述する。）に適用した実施形態について図面を参照しながら説明する。
【００１１】
Ａ１：本発明の実施形態の構成
Ａ１−１：本実施形態の構成概要
図１は、本実施形態に係る家庭内ネットワークシステム１００の構成を示したものである。同図に示すように、家庭内ネットワークシステム１００は、ネットワーク１０、サーバ１１および２つのクライアント２１、２２から構成されており、サーバ１１のクライアント２１、２２はネットワーク１０に接続されている。
【００１２】
図１に示すように、サーバ１１は、インターフェース１２、トランスコーダ１３、ハードディスク１４、制御部１５、メモリ１６から構成されている。
インターフェース１２は、ネットワーク１０との間でデータの送受信を行うための装置である。ハードディスク１４は、映画会社等から支給される各種画像データを格納する装置であり、各画像データは、ＭＰＥＧ（Moving Picture Expert Group）方式により固定レートでの圧縮符号化が行われている。
トランスコーダ１３は、ＭＰＥＧ画像データを再符号化するための装置であり、ＭＰＥＧに規格される量子化パラメータの値を変換することにより再符号化することが可能である。制御部１５は上述したサーバ１１の各部の制御を行う装置であり、メモリ１６にはこの制御を行うための各種プログラムが格納されている。
【００１３】
クライアント２１は、操作部２１１、インターフェース２１２、デコーダ２１４および表示装置２１５から構成される。
インターフェース２１２は、ネットワーク１０を介してデータ送受信を実行するための装置である。操作部２１１はユーザによって操作される各種操作ボタン（図示せず）を有している。操作部２１１はこれらの操作ボタンによって所定の操作が行われたときデータ要求信号を出力する。また、デコーダ２１４は、符号化画像データを復号化する装置であり、この復号化された画像データ信号は表示装置２１５により表示が行われる。
クライアント２２の構成は、上述したクライアント２１と同一の構成を有しているため、その説明を省略する。
【００１４】
ネットワーク１０は１つの伝送路から構成され、サーバ１１からクライアント２１または２２に要求されたデータを伝送する場合は、この１つの伝送路によってデータ伝送が行われる。すなわち、各クライアント２１、２２は、１つの伝送路を共有しデータの授受を行っている。
そして、このネットワーク１０の単位時間あたりにデータ伝送できる容量（データ伝送レート許容量）に限界があるため、以下に説明を行うデータ伝送優先度Ｐの値を決定した上で、優先度順に各クライアントに対するデータ伝送レートが決定されることになる。
【００１５】
Ａ１−２：データ伝送優先度
データ伝送優先度Ｐとは、サーバ１１が、データ伝送要求があった各クライアントに対して決定するパラメータである。
本実施形態に係るサーバ１１に、クライアント２１または２２からデータ要求信号が供給されると、サーバ１１の制御部１５は、該クライアントの表示性能値Ｓと、該クライアントが要求したデータの画像パラメータＧの値からデータ伝送優先度Ｐを決定する。このデータ伝送優先度Ｐは以下の式により演算される。
【００１６】
Ｐ＝Ｓ×Ｇ
Ｓ：データ要求をしたクライアントに係る表示性能値
Ｇ：該クライアントが要求した画像パラメータ
【００１７】
表示性能値Ｓとは、クライアントが有する表示装置の仕様を表すパラメータであり、具体的には表示装置の画面の大きさおよび表示分解能の値により決定される値である。
本実施形態に係るネットワーク１０に新規にクライアントを接続する場合、該クライアントはサーバ１１に対して、該クライアントが有する表示装置の画面の大きさおよび表示装置の表示分解能の値を伝送する。サーバ１１の制御部１５は、これらの仕様パラメータの値とメモリ１６に格納されている変換テーブルにより該クライアントに対する表示性能値Ｓを決定する。
【００１８】
図２は、メモリ１６に格納された変換テーブルの概略を示したものである。同図に示すように、表示装置の画面の大きさおよび表示装置の表示分解能の値から一義に表示性能値Ｓの値を決定することが可能である。具体的には、画面の大きさが大きいほど、表示性能値Ｓが高い値に決定され、表示分解能が高いほど、表示性能値Ｓが高い値に決定されるようになっている。
すなわち、クライアントが例えばホームシアタ表示装置のような大画面かつ高分解能の表示装置を有していると判断した場合、制御部１５は、該クライアントの表示性能値Ｓを「１０」と決定する。また、クライアントが例えば小型液晶モニタのような小画面で低い表示分解能の表示装置を有していると判断した場合、制御部１５は、該クライアントの表示性能値Ｓを「１」と決定する。
【００１９】
画像パラメータＧとは、ハードディスク１４に格納される画像データの各々について決定されるパラメータであり、データ伝送するに際してネットワーク上で必要とされる単位時間あたりの伝送容量（データ伝送レート）に相当するものである。本実施形態に係るサーバ１１のハードディスク１４に画像データを格納する場合、制御部１５は、該画像データに含まれる量子化パラメータの値を検出することにより、該画像データをネットワーク上に伝送する時に必要となるデータ伝送レートを算出する。例えば、静止画に近く符号量が少ない画像データの画像パラメータＧは小さな値に決定され、動画像で符号量が多い画像データの画像パラメータＧは大きい値に決定される。
【００２０】
上述した表示性能値Ｓおよび画像パラメータＧの値は、制御部１５によってメモリ１６内の画像データメモリ１７、クライアントメモリ１８に格納される。
図３は、この画像データメモリ１７およびクライアントメモリ１８を模式的に示したものである。同図に示すように、画像データメモリ１７には、ハードディスク１４に格納されている画像データの画像パラメータＧの値が格納され、クライアントメモリ１８には、ネットワーク１０に接続されるクライアントの表示性能値Ｓおよびデータ伝送優先度Ｐが格納される。また、クライアントメモリ１８には、各クライアントに対する単位時間あたりの伝送データ量（使用データ伝送レートＺ）も格納される。
【００２１】
Ａ２：実施形態の動作
以下、本実施形態に係る家庭内ネットワークシステム１００の具体的動作を説明する。
図４は、本実施形態におけるサーバ１１のメモリ１６の内容の一例を示したものであり、ハードディスク１４に２つの画像データａ、ｂが格納された場合を示している。すなわち、画像パラメータＧ（ネットワーク伝送時に必要なデータレート）が４００［Ｍｂｐｓ］の画像データａと、２００［Ｍｂｐｓ］の画像データｂがハードディスク１４に格納されている場合を示している。
また、ネットワーク１０上には、２つのクライアント２１、２２が接続され、各クライアントの表示性能値Ｓが「４」、「６」である場合を示している。
そして、このネットワーク１０の単位時間あたりのデータ伝送容量の最大値（以下、最大データ伝送レートと記述）Ｚｍａｘが５００［Ｍｂｐｓ］である場合を想定する。
【００２２】
以上の場合において、クライアント２２から画像データｂの伝送要求があった場合を考える。制御部１５は、いずれかのクライアントからデータ伝送要求があった場合、図５にフローを示す制御プログラムを実行する。
クライアント２２からのデータ伝送要求が制御部１５に供給されると（ステップＳ１００）、制御部１５は、まず、クライアント２２からのデータ要求であることを判別し（ステップＳ１０１）、クライアント２２の表示性能値Ｓをクライアントメモリ１８から読み出す（ステップＳ１０２）。そして、制御部１５は、伝送要求のあったデータが画像データｂであることを判別し（ステップＳ１０３）、画像データｂの画像パラメータＧ（伝送時に必要なデータレート）を画像データメモリ１７から読み出す（ステップＳ１０４）。
【００２３】
そして、制御部１５は、上述した表示性能値および画像パラメータの値により、クライアント２２に対するデータ伝送優先度Ｐを演算し、クライアントメモリ１８に格納する（ステップＳ１０５）。
すなわち、この例においては、クライアント２２の表示性能値Ｓは「６」、画像パラメータＧは「２００」であるので、クライアント２２に対するデータ伝送優先度Ｐの値「１２００」がクライアントメモリ１８に格納されることになる。
【００２４】
次に、制御部１５は、画像データｂをデータレート２００［Ｍｂｐｓ］（画像データｂの画像パラメータＧの値）でデータ伝送できるか否かを判断する（ステップＳ１０６）。すなわち、制御部１５は、ネットワーク１０の単位時間あたりに伝送しているデータ量（以下、使用データレートと記述）Ｚｕｓｅの値を検出し、この値と、ネットワークの最大データ伝送レートＺｍａｘとを比較する。この例においては、使用データレートＺｕｓｅは０［Ｍｂｐｓ］であるので、制御部１５は、画像データｂをデータレート２００［Ｍｂｐｓ］でデータ伝送できると判断する（ステップＳ１０６のＹＥＳ）。その後、制御部１５は、ハードディスク１４に格納されている画像データｂを取り出し、実際のデータ伝送を開始し（ステップＳ１０７）、本フローに示す制御プログラムを終了させる（ステップＳ１０８）。
【００２５】
次に、クライアント２１から画像データａの伝送要求があった場合を考える。この場合も、制御部１５は、図５にフローを示す制御プログラムを実行する。
制御部１５は、データ要求を行ったクライアント２１の表示性能値Ｓをクライアントメモリ１８から読み出し（ステップＳ１０１、Ｓ１０２）、伝送要求のあった画像データａの画像パラメータＧを画像データメモリ１７から読み出す（ステップＳ１０３、Ｓ１０４）。
【００２６】
この例においては、クライアント２１の表示性能値Ｓは「４」、画像パラメータＧは「４００」であるので、クライアント２１に対するデータ伝送優先度Ｐの値「１６００」がクライアントメモリ１８に格納されることになる。
図６は、この時点の画像データメモリ１７およびクライアントメモリ１８の具体的内容を示したものである。
【００２７】
そして、制御部１５は、画像データａをデータレート４００［Ｍｂｐｓ］（画像データａの画像パラメータＧの値）でデータ伝送できるか否かを判断する（ステップＳ１０６）。この例においては、すでにクライアント２２に対するデータ伝送が行われており、使用データレートＺｕｓｅは２００［Ｍｂｐｓ］である。よって、制御部１５は、画像データａをデータレート４００［Ｍｂｐｓ］ではデータ伝送できないと判断する（ステップＳ１０６のＮＯ）。この場合、制御部１５は、各クライアントに対するデータ伝送レートの値を補正する制御をする（ステップＳ１０９）。
【００２８】
制御部１５は、各クライアントに対するデータ伝送レートの補正を行う必要が生じた場合（図５のステップＳ１０９）、図７にフローを示す制御プログラムを実行する。
制御部１５は、まず、データ伝送優先度Ｐの値が高い順に、クライアントに優先度順位をつける（ステップＳ６２）。上記例では、図６にも示すように、クライアント２１のデータ伝送優先度Ｐが「１６００」、クライアント２２のデータ伝送優先度Ｐは「１４００」であるので、優先度順位はクライアント２１が「１」、クライアント２２が「２」と決定される。
【００２９】
次に、制御部１５は、以下の式を満たす自然数ｉの最大値を求める（ステップＳ６３）。
【００３０】
0003812272.tif 000002
１〜ｎ：優先度順位（ｎつのクライアントからデータ要求があった場合の例）
Ｇｉ：優先度順位がｉであるクライアントが要求した画像データの画像パラメータ（伝送時に必要なデータレート）
ｋ：補正係数
Ｚｍａｘ：最大データ伝送レート
【００３１】
本実施形態においては上式における補正係数ｋを０．５として演算する。すなわち、ネットワークの最大データ伝送レートＺｍａｘが問題となる場合は、データ伝送優先度Ｐの値が低いクライアントが要求した画像データの符号量を半分に再符号化した上でデータ伝送を行うのである。
【００３２】
上記式を、クライアント２１、２２に対する例に適用すると、Ｇ１はクライアント２１が要求した画像データａの画像パラメータ“４００［Ｍｂｐｓ］”、Ｇ２はクライアント２２が要求した画像データｂの画像パラメータ“２００［Ｍｂｐｓ］”となる。また最大データ伝送レートＺｍａｘは“５００［Ｍｂｐｓ］”であるので、上記式を満たす自然数ｉの最大値は１であることが以下の式により判別される。
【００３３】
４００＋０．５×２００＝５００（≦５００）
【００３４】
すなわち、データ伝送優先度Ｐの低いクライアント２２のデータ伝送レート２００［Ｍｂｐｓ］を１００［Ｍｂｐｓ］に補正することにより、データ伝送優先度Ｐの高いクライアント２１のデータ伝送容量４００［Ｍｂｐｓ］を確保することが可能になるのである。
【００３５】
制御部１５は、このようにクライアント２１および２２に対するデータ伝送容量を決定し（ステップＳ６４）、図７にフローを示す制御プログラムを終了させる（ステップＳ６５）。そして、図５に示すフローにおいて、実際のデータ伝送を開始させる（図５のステップＳ１０７）。
具体的には、制御部１５はハードディスク１４から取り出した画像データｂをトランスコーダ１３に供給すると同時に、データレートを半分にする再符号化を行わせるための命令信号を供給する。そして、制御部１５は、トランスコーダ１３により再符号化が行われた画像データｂについて、クライアント２２に対するデータ伝送を開始する。
そしてその後、制御部１５は、図５にフローを示す制御プログラムを終了させる（図５のステップＳ１０８）。
【００３６】
図８は、この時点における、メモリ１６内の画像データメモリ１７およびクライアントメモリ１８の内容を模式的に示したものである。同図にも示すように、表示性能値Ｓのみを考えた場合は、クライアント２２の値の方が高い。しかし、伝送要求したデータに係る画像パラメータ（必要とされるデータ伝送レート）Ｇの値まで考慮した上でデータ伝送優先度Ｐは決定されるため、クライアント２１が要求した画像データａのデータ伝送レートが優先的に確保されることになるのである。
【００３７】
Ａ３：実施形態の効果
以上、本実施形態の説明を行ったが、上述したように、制御部１５は、いずれかのクライアントからデータ伝送要求があった場合、まず、該クライアントに係る表示性能値Ｓおよび該クライアントが要求したデータに係る画像パラメータＧ（伝送時に必要なデータレート）から、該クライアントに対するデータ伝送優先度Ｐを決定する。そして、単位時間あたりにネットワーク１０を伝送できるデータ容量限界（最大データ伝送レート）Ｚｍａｘを超えるようなデータ要求が生じた場合、制御部１５は、データ伝送優先度Ｐの値に応じて各クライアントに対するデータ伝送レートを補正する。
よって、クライアントに係る表示性能値Ｓだけでなく、該クライアントが要求したデータに係る画像パラメータＧも考慮した上で、各クライアントに対するデータ伝送レートを決定するため、限られたネットワークのデータ伝送容量を常に有効に活用することが可能である。
【００３８】
Ｂ：変形例
以上、本発明の実施形態について説明を行ったが、上記実施形態は例示であり、本発明の趣旨を逸脱しない範囲での変形が可能である。例えば以下のような変形例が考えられる。
【００３９】
（変形例１）
上記実施形態においては、ハードディスク１４内に格納される画像データは固定レート符号化が行われているものと想定しているが、可変レートで符号化が行われたものが格納されている場合にも本発明の適用は可能である。
この場合は、所定時間毎にデータ伝送優先度Ｐを演算することとし、所定時間毎に各クライアントに対するデータ伝送レートの値を見直すことにすれば、上記実施形態と同様の効果を得ることができる。
【００４０】
（変形例２）
また、ハードディスク１４内に格納される画像データは符号化されていなくてもよい。この場合は、例えば、サーバに、トランスコーダの変わりにエンコーダを設ければ本発明の適用が可能である。制御部１５は、各クライアントに対するデータ伝送優先度Ｐの値を求め、そのデータ伝送優先度Ｐの値に応じた符号圧縮率を決定する。そして、この符号圧縮率によりエンコーダで符号化を行ったデータを伝送すれば、上述実施形態と同様の効果が得られる。
【００４１】
（変形例３）
ネットワーク上にデータ送信装置（サーバ）を複数存在させてもよい。
図９は、サーバが２つ、クライアントが２つ存在するネットワークシステムの例を示したものであるが、ここではさらにホストを設置している。すなわち、このホストは、上記実施形態に係る画像データメモリ１７およびクライアントメモリ１８に相当するメモリを包含し、制御部１５に相当する制御動作を行っている。その他の構成、効果は上記実施形態と同様であるのでその説明は省略する。
【００４２】
（変形例４）
また、上記実施実施形態に係るデータ優先度Ｐの演算方法も任意に変形が可能である。例えば、クライアントの表示性能値Ｓの値が一定以上（例えば「５」以上）である場合は、データ伝送優先度Ｐを高く決定するようにして、該クライアントに対してのデータ伝送レートを保証することとしてもよい。
また、クライアント側からもデータ優先度Ｐの値を補正することを可能にしてもよい。
【００４３】
（変形例５）
さらに、各クライアントに対するデータ伝送レートの補正方法についても任意に変形が可能である。本実施形態においては、データ伝送優先度Ｐの値のみにより各クライアントに対するデータ伝送レートの補正を行ったが、時間的に先にデータ要求を行ったクライアントに対しては、データ伝送レートの補正を行わないようにしてもよい。
【００４４】
【発明の効果】
以上説明したように、本発明に係るネットワークシステムにおいては、各データ受信装置（クライアント）からデータ伝送要求があった場合、該クライアントの有する表示装置の仕様を表す値（表示性能値Ｓ）だけでなく、該クライアントが要求した画像データの仕様（画像パラメータＧ）の値まで考慮した上で、該クライアントに対するデータ伝送優先度Ｐを決定している。そして、データ送信装置（サーバ）は、単位時間あたりにネットワーク上を伝送可能なデータ容量の限界を超えるようなデータ要求が生じた場合、上記データ伝送優先度Ｐの値に応じて各クライアントに対するデータ伝送レートを補正する。
よって、クライアントに係る表示性能値Ｓだけでなく、該クライアントが要求したデータに係る画像パラメータＧにも応じたネットワークのデータ伝送容量を常に有効に活用することが可能である。
【図面の簡単な説明】
【図１】  本発明の実施形態における家庭内ネットワークシステムのブロック図である。
【図２】  同表示性能値を説明するための図である。
【図３】  同メモリの内容を示す模式図である。
【図４】  同メモリの内容を示す模式図である。
【図５】  同制御部におけるクライアントからデータ要求があった場合のフローチャートである。
【図６】  同メモリの内容を示す模式図である。
【図７】  同制御部における各クライアントに対するデータ伝送容量の見直し補正を行う際のフローチャートである。
【図８】  同メモリの内容を示す模式図である。
【図９】  本発明の変形例を説明するための図である。
【符号の説明】
１００……家庭内ネットワークシステム、
１０……ネットワーク、１１……データ送信装置（サーバ）、１２……インターフェース、１３……トランスコーダ、１４……ハードディスク、１５……制御部、１６……メモリ、１７……画像データメモリ、１８……クライアントメモリ、２１、２２……データ受信装置（クライアント）、２１１……操作部、２１２……インターフェース、２１４……デコーダ、２１５……表示装置。
【図１】
0003812272.tif 000003
【図２】
0003812272.tif 000004
【図３】
0003812272.tif 000005
【図４】
0003812272.tif 000006
【図５】
0003812272.tif 000007
【図６】
0003812272.tif 000008
【図７】
0003812272.tif 000009
【図８】
0003812272.tif 000010
【図９】
0003812272.tif 000011